(57)【要約】【課題】容器内の圧力が低下した際の弁体の天面壁に設けたスリットの自己閉鎖性を大きく向上させた弁体付き容器用キャップをを提供する。【解決手段】キャップ１は、容器２内の圧力が高まると開き、かつ容器２内の圧力が下がると閉じる弁体１０を備えている。弁体１０は、側面外周に張出した厚肉のフランジ部１１と、フランジ部１１から上方に立設した周側壁１７と、周側壁１７の上部先端である連接部１８から一体に連接され下方に湾曲して天面壁１９を有する。天面壁１９にはスリット２０を設けて構成される。弁体１０の連接部１８は、それに連接する周側壁１７および天面壁１９より薄肉に形成されている。天面壁１９は弁体の内径に対して２０〜４０％下方に湾曲している。【選択図】　　　　図１
2004083035.tif 000002
【特許請求の範囲】
【請求項１】
容器内の圧力が高まると弁体が開き、かつ容器内の圧力が下がると弁体が閉じる弁体付き容器用キャップであって、
弁体は、側面外周に張出した厚肉のフランジ部と、上記フランジ部から上方に立設した周側壁と、上記周側壁の上部先端である連接部から一体に連接され下方に湾曲して天面壁を有するとともに、その天面壁にはスリットを設けて構成され、上記弁体の連接部は、それに連接する周側壁および天面壁より薄肉に形成されており、上記天面壁は弁体の内径に対して２０〜４０％下方に湾曲していることを特徴とする弁体付き容器用キャップ。
【発明の詳細な説明】
【０００１】
【発明の属する技術分野】
本発明は、容器内の圧力が高まると弁体が開き、かつ容器内の圧力が下がると弁体が閉じる弁体付き容器用キャップに関するものである。
【０００２】
【従来の技術】
この種の弁体付きキャップとしては、その弁体の天面壁が凹面形のもの、凸面形のもの、あるいは常態では凹面形であるが容器内の圧力が高まると凸面形となる反転形のものが知られており、凹面形のものは特開平１１−１０５９０２号公報に、凸面形のものは特開平８−２８２６９０号公報に、また反転形のものは特開平７−１３２９７９号公報にそれぞれ記載されている。
【０００３】
【発明が解決しようとする課題】
上記のように、この種の弁体は、凹面形、凸面形および反転形の３種に大別されるが、そのうち、反転形のものは、容器内の圧力が高くなって凸面状になった弁体が、容器内の圧力が低下すると凹面状に自己復元するものであるが、弁体に対する内容物の付着や弁体の肉厚不均一などにより、歪んだ状態で復元することが多く、自己閉鎖性に劣る欠点がある。また、凸面形のものは、それ自体が凸面状であるから、容器内の圧力が低下した際の自己閉鎖性が劣ることは反転形と同様である。
【０００４】
これに対して、凹面形のものは、凸面形や反転形のものにくらべると自己閉鎖性に勝っており、これまでにもその機能性のいっそうの改善が図られているが、未だ容器に収納する内容物によっては満足できるものが得られていないのが実情である。
【０００５】
そこで、本発明の目的は、凹面形の弁体において上記のような従来の技術上の問題点を解消しようとするものであって、弁体の形態として、その側面外周に厚肉のフランジ部を張出させ、このフランジ部から上方に立設する周側壁の上部先端である連接部から天面壁に連接する弁体の連接部を周側壁および天面壁より薄肉に形成するとともに、天面壁を弁体の内径に対して２０〜４０％下方に湾曲させることにより、容器内の圧力が低下した際の弁体の天面壁に設けたスリットの自己閉鎖性を大きく向上させた弁体付き容器用キャップをを提供するものである。
【０００６】
【課題を解決するための手段】
上記目的を達成するため、本発明の請求項１に係る弁体付き容器用キャップは、容器内の圧力が高まると弁体が開き、かつ容器内の圧力が下がると弁体が閉じる弁体付き容器用キャップであって、弁体は、側面外周に張出した厚肉のフランジ部と、上記フランジ部から上方に立設した周側壁と、上記周側壁の上部先端である連接部から一体に連接され下方に湾曲して天面壁を有するとともに、その天面壁にはスリットを設けて構成され、上記弁体の連接部は、それに連接する周側壁および天面壁より薄肉に形成されており、上記天面壁は弁体の内径に対して２０〜４０％下方に湾曲していることを特徴とするものである。
【０００７】
【発明の実施の形態】
図１は本発明に係る弁体付き容器用キャップを容器の口部に装着した状態を示す断面図、図２は弁体の平面図、図３は同上一部を破断して示す側面図である。また、図４は本発明に係る弁体に対する比較例の一部を破断して示す側面図である。
【０００８】
図１に示すように、キャップ１は、容器２の口部３に螺合されるものであり、口部３にはそのための雄ネジ４が、キャップ１のキャップ本体５には雌ネジ６が形成されている。キャップ本体５と蓋体６は薄肉のヒンジ７によって連結されており、キャップ本体５に対してして蓋体６は開閉自在となっている。８はキャップ本体５の内筒部である。キャップ本体５の口部閉鎖壁９には、弁体１０がそのフランジ部１１を弁体嵌合部１２に嵌合して取り付けられており、係止リング１３によって固定されている。キャップ本体５の口部閉鎖壁９の上面には筒部１４が形成されており、蓋体６には上記筒部１４に被さる筒部１５が形成されている。１６は指掛け部であって蓋体６を開くときに指を掛ける突起部である。
【０００９】
弁体１０は、熱可塑性樹脂を射出成形して構成されるものである。この弁体１０は、側面外周に張出した厚肉のフランジ部１１と、上記フランジ部１１から上方に立設した周側壁１７と、上記周側壁１７の上部先端である連接部１８から一体に連接され下方に湾曲した天面壁１９を有するものである。天面壁１９にはスリット２０を穿設してある。弁体の連接部１８は、それに連接する周側壁１７および天面壁１９より薄肉に形成されており、天面壁１９は弁体の内径に対して２０〜４０％下方に湾曲しているものである。天面壁１９に設けるスリット２０は、弁体１０の成形後に後加工で形成されるものである。天面壁１９に穿設されるスリット２０は十字形である。このスリット２０は、容器２内の圧力が高まると開き、かつ容器内の圧力が下がると閉じるように作用するものである。なお、スリット２０は必ずしも十字形でなくてもよく、一直線状や波線状などであってもよい。
【００１０】
本発明に係る弁体１０およびキャップ１を構成する熱可塑性樹脂としては、スチレン−ブタジエン−スチレンブロックコポリマー、スチレン−エチレン−ブチレン−スチレンブロックコポリマー等の熱可塑性エラストマー、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、またはエチレン−酢酸ビニル共重合ケン化物などのバリア性を有する樹脂などを用いることができる。
【００１１】
本発明に係る弁体付きキャップにおいては、弁体１０がその側面外周に張り出した厚肉のフランジ部１１を有し、このランジ部１１から上方に立設する周側壁１７の上部先端で天面壁１９に連なる連接部１８が周側壁１７および天面壁１９より薄肉に形成されているとともに、天面壁１９が弁体の内径に対して２０〜４０％下方に湾曲させてあるので、容器２内の圧力が低下した際の弁体の天面壁１９に設けたスリット２０の自己閉鎖性が著しく向上したものとなっている。これに対して、図４に示すもののように、連接部１８が周側壁１７および天面壁１９と同厚であり、また天面壁１９の凹面形の曲率が小さくて、天面壁１９は弁体１０の内径に対して１７％下方に湾曲しているものにあっては、弁体の天面壁１９に設けたスリット２０の自己閉鎖性に劣るものである。
【００１２】
【発明の効果】
本発明によれば、弁体の形態として、その側面外周に厚肉のフランジ部を張出させ、このランジ部から上方に立設する周側壁の上部先端である連接部から天面壁に連接する弁体の連接部を周側壁および天面壁より薄肉に形成するとともに、天面壁を弁体の内径に対して２０〜４０％下方に湾曲させることにより、容器内の圧力が低下した際の弁体の天面壁に設けたスリットの自己閉鎖性を大きく向上させた弁体付き容器用キャップをを提供することができるものである。
【図面の簡単な説明】
【図１】本発明に係る弁体付き容器用キャップを容器の口部に装着した状態を示す断面図である。
【図２】弁体の平面図である。
【図３】同上一部を破断して示す側面図である。
【図４】本発明に係る弁体に対する比較例の一部を破断して示す側面図である。
【符号の説明】
１　キャップ
２　容器
３　口部
４　雄ネジ
５　キャップ本体
６　雌ネジ
７　ヒンジ
８　内筒部
９　口部閉鎖壁
１０　弁体
１１　フランジ部
１２　弁体嵌合部
１３　係止リング
１４　筒部
１５　筒部
１６　指掛け部
１７　周側壁
１８　連接部
１９　天面壁
２０　スリット
【図１】
2004083035.tif 000003
【図２】
2004083035.tif 000004
【図３】
2004083035.tif 000005
【図４】
2004083035.tif 000006